(57)【要約】【課題】画像データにより音楽をつくる方法。【解決手段】画像撮影機器を用いて動的な画像を得る。動的画像を分析して画像パラメータを得る。画像パラメータをデータバンクにある基準値と比較する。そして、比較した結果に従い少なくとも一つの音符信号を決定する。音声発生モジュールおよび音声増幅機器により、少なくとも一つの音符信号を演奏する。または、いくつかの音符信号を集めた後に、これらの音符信号を音楽に構成して、音声発生モジュールおよび音声増幅機器により演奏する。【選択図】  図１
2005165255.tif 000002
【特許請求の範囲】
【請求項１】
動的な画像を捉え、動的な画像を分析して画像パラメータを得て、複数の基準値と画像パラメータを比較して少なくとも一つの音声信号を得て、音声信号を送り出すことで構成することを特徴とする、画像データにより音楽をつくる方法。
【請求項２】
動的な画像を分析するステップには、動的な画像の一部を捉えて多数の静止画像を得て、いずれかの静止画像から画像パラメータを得ること含んでいることを特徴とする請求項１に記載の方法。
【請求項３】
静止画像を捉え、静止画像を分析して複数の画像パラメータを得て、画像パラメータの一つを取り出し基準値と比較して少なくとも一つの音声信号を得て、音声信号を送り出すことで構成することを特徴とする画像データにより音楽をつくる方法。
【請求項４】
静止画像を分析するステップには、静止画像のいずれかの単一行またはいずれかの単一列からのピクセル値または輝度を分析するステップを含んでいることを特徴とする請求項３に記載の方法。
【請求項５】
画像パラメータには平均化したピクセル値または平均化した輝度を含むことを特徴とする請求項１または３に記載の方法。
【請求項６】
複数の音声信号をつくるステップを繰り返すことをさらに含み、そこで音声信号を演奏のために音楽に編成することを特徴とする請求項１または３に記載の方法。
【請求項７】
音声信号に音符信号またはリズム信号を含むことを特徴とする請求項１または３に記載の方法。
【請求項８】
音符信号が、一つの楽器から作り出した、または多数の楽器から混ぜ合わせた信号であることを特徴とする請求項７に記載の方法。
【発明の詳細な説明】
【技術分野】
【０００１】
本発明はエレクトロニクス機器により音楽をつくる方法に関するものである。さらに言えば、本発明は、捉えた動的な画像を分析比較して、音符や音楽をつくる方法に関するものである。
この申請は、２００３年１２月４日申請の台湾申請番号９２１３４１５０の優先権を主張するものである。
【背景技術】
【０００２】
携帯電話、ポケットパソコン（ＰＣ）、携帯情報端末（ＰＤＡ）、ポータブルＰＣなどが無線通信やインターネットで応用されるようになって以降、モバイル通信に関して便利で効率的な機能を有するこれらのエレクトロニクス製品が、日常生活で非常に一般的なものとなっている。
【０００３】
携帯電話の通信機能に関して、従来は通信品質を強調することでユーザーにアピールしていたメーカーは、携帯電話に関して重点を変えている。特に、通信システムにおいて第二、第三世代が大きく発達して、多重機能を有する携帯電話が通信に使用されるだけでなく、多重機能無線通信となっており、電話の着信音のダウンロード、グラフィックイメージ、音楽、あるいは動画のアップロード／ダウンロード、大容量アルバムやオーディオ・ビデオ管理ツールとして使うなど、広範囲な使用方法が含まれる。携帯電話に組み込まれたミニサイズのデジタルカメラに加えて、フォト／イメージセンサーまたはレンズのイメージを捉える機能として、これらの追加機能を使うことによりイメージを取り込むための基本的なツールとなった。これらの機能は又、新しい時代の携帯電話に必然的に求められるものである。
【発明の開示】
【発明が解決しようとする課題】
【０００４】
本発明の少なくとも一つの課題は、画像データを使って音楽をつくる方法を提供することである。捉えた動的画像または静止画像を分析して比較し、音符信号を決定する。そして、音声発生モジュールおよび演奏機器を使って音符信号を演奏する。結果として、画像撮影中にユーザーには楽しみを与える。
【０００５】
本発明の少なくとも別の課題は、画像データを使って音楽をつくるための方法を提供することである。撮影した動的画像または静止画像を分析して比較し、音符信号を決定する。多数の音符信号を集めた後に、作曲モジュールによりこれらの音符信号を音楽に作曲する。そして、音声発生モジュールおよび演奏機器を使って音楽を演奏する。結果として、エレクトロニクス機器の使用中にユーザーにさらに楽しみを与える。
【発明を実施するための最良の形態】
【０００６】
本発明は画像データを使って音楽をつくる方法を提供する。ステップ１において、画像撮影機器により動的な画像を得る。ステップ２では、捉えた動的イメージを分析して画像パラメータを得る。ステップ３において、得られた画像パラメータをデータバンクにメモリーした多数の基準値と比較して、少なくとも一つの音符信号を得る。ステップ４において、音符信号を送り出す。
【０００７】
本発明の好ましい実施例によれば、動的な画像を分析して画像パラメータを得ることについての前述のステップには、多数の静止画像を得るために、動的な画像を得た後に動的な画像の一部を取り出すことが含まれている。そして、これらの静止画像データのいずれかから画像パラメータを得る。そのとき例えば、平均化処理により静止画像データを加工する。この平均化処理は、いずれかの動的な画像からピクセル値の平均を、または静止画像の輝度の平均を計算することである。
【０００８】
本発明の実施例によれば、スピーカーのような音声増幅機器を使って送り出した音符信号を演奏することができる。あるいは、メモリー内に多数の音符信号を集めた後に、作曲機器を用いて音符信号を音楽に構成し、音声増幅機器で音楽を演奏する。
【０００９】
本発明は画像データを使って音楽をつくる別の方法も提供する。ステップ１において、画像撮影機器により静止画像を得る。ステップ２においては、捉えた静止画像を分析し多数の画像パラメータを得る。ステップ３において、得た画像パラメータの一つを、データバンクに蓄えた多数の基準値と比較して、少なくとも一つの音符信号を得る。そのあとで音符信号を送り出す。
【００１０】
本発明の実施例によれば、静止画像を分析し画像パラメータを得ることについての前述のステップには、いずれかの単一行またはいずれかの単一列における静止画像ピクセル値の分析、またはいずれかの単一行またはいずれかの単一列のための輝度の分析が含まれる。
【００１１】
本発明は画像を音楽に変換する方法を用いるので、捉えた動的画像を幾つかの静止画像に分ける。ピクセル値またはいずれかの静止画像の輝度を、データバンク内の基準値と比較して、動的な画像を音声データに変換し、ユーザーに対する楽しみ効果を改善する。
【実施例１】
【００１２】
図１は、本発明の実施例に従い、画像データにより音楽をつくるプロセスを概略的に示すプロセス図である。ステップＳ１０２において、画像撮影機器により動的な画像を撮影する。そのとき、精通した熟練者には分かるように、画像撮影機器は、携帯電話、パーム／ポケットＰＣ、ポータブルＰＣ、デジタルカメラ、デジタルビデオ、またはコンピュータで用いるウェブカメラであってもよいが、制限されるものではない。
【００１３】
そしてステップＳ１２０において、捉えた動的な画像を分析して画像パラメータを得る。そこでは、分析手法には動的な画像に基づいて多数の静止画像を得ること（ステップＳ１０４）、および静止画像から画像パラメータを得ること（ステップＳ１０６）が含まれている。動的な画像に基づいて多数の静止画像を得るためのステップ１０４においては、精通した熟練者には分かるように、異なった時点において動的な画像を多数の静止画像に分けることができる。画像パラメータを得るためのステップＳ１０６では、いずれかの静止画像を平均化する手法をとることができる。例えば、いずれかの静止画像について平均ピクセル値または平均輝度を計算することを行う。しかしながら、唯一にこれに制限されるものではない。
【００１４】
そしてステップＳ１０８において、データバンクにメモリーまたは設けられた多数の基準値と画像パラメータを比較する。比較結果に従い少なくとも一つの音符信号またはリズム信号が得られ、そのときの音符信号は楽器でつくられた音符信号または種々の異なった楽器から混ぜ合わせた音符信号のようなものである。リズム信号は、ドラムのような打楽器でつくる打楽器信号のようにすることもできる。比較プロセス中にリズム信号と共に、同じ時点で音符信号をつくることもできる。この方法は精通した熟練者には知られており、データバンクは音楽データバンクであってもよいが、制限されるものではない。基準値は例えば、画像撮影機器内に設け、ユーザーの好みより画像撮影機器のユーザーがセットすることもある。
【００１５】
実施例において、画像パラメータと基準値を比較するとき、例えば画像パラメータを隣接する二つの基準値の間に配置して音符信号を決めることができる。しかしながら、本発明はこの方法のみに制限されるものではない。
【００１６】
ステップＳ１１０において音符信号を送り出し、そして例えば音声発生モジュールにより音声信号に変換することができる。そしてこの音声信号を音声増幅機器が演奏することができる。
【００１７】
実施例においては、ステップＳ１０２とＳ１０８間のプロセスを何度も繰り返し、メモリーデバイスにメモリーする幾つかの音符信号を得る（ステップＳ１１２）ことができる。メモリーデバイスを画像撮影機器に組み込むこともできるが、この方法のみに限定されるものではない。ステップＳ１１４において、音楽作成モジュールを使い音符信号を音楽に構成することができる。そして例えば、音声発生モジュールが音楽を音声信号に変換し、音声増幅機器により音声信号を演奏する（ステップＳ１１６）。
【実施例２】
【００１８】
図２は、本発明の別の実施例に従い、画像データにより音楽をつくるためのプロセスを概略的に示すプロセス図である。図２において、画像撮影機器を使って静止画像を捉える（ステップＳ２０２）。
【００１９】
そしてステップＳ２０４において、静止画像を分析して幾つかの画像パラメータを得る。そのとき、精通した熟練者には分かるように、画像パラメータは例えば、静止画像の単一行または単一列のピクセル値を分析する、または静止画像の単一行または単一列の輝度を分析することにより得られる。
【００２０】
実施例において、画像パラメータを得た後に画像パラメータの一つを選んで、データバンクにメモリーされている基準値と比較する（ステップＳ２０６）。そしてステップＳ２０８において、比較結果に従い音符信号またはリズム信号を得ることができる。この音符信号は、楽器で得られる音符信号または幾つかの異なった楽器からの混合した音符信号のようなのものである。リズム信号は、ドラムのような打楽器による打楽器信号のようにもできる。この比較結果において、同じ時点にリズム信号と共に音符信号をつくることもできる。画像パラメータと基準値を比較すると、例えば画像パラメータを隣接する二つの基準値の間に配置して音符信号を決定することができる。しかしながら、本発明はこの方法のみに制限されるものではない。
【００２１】
ステップＳ２１０において音符信号が送りだされ、例えば音声発生モジュールにより音声信号に変換することができる。そして、この音声信号を音声増幅機器で演奏することができる。
【００２２】
実施例において、ステップＳ２０２とステップＳ２０８間のプロセスを何度か繰り返し、幾つかの音符信号を得てメモリーデバイスにメモリーする（ステップＳ２１２）。Ｓ２１４において、音楽作成モジュールを使って音符信号を音楽に構成することができる。そして例えば、音声発生モジュールが音楽を音声信号に変換し、そして音声増幅機器を使って音声信号を演奏する（ステップＳ２１６）。
【００２３】
まとめると、本発明では動的な画像を捉えて幾つかの静止画像に分けることができる。そして、いずれかの静止画像のピクセル値または輝度をデータバンク内の基準値と比較して、動的画像の情報を音声情報に変換することができる。これによりユーザーを楽しませる効果を改善することができる。
【００２４】
当該分野で精通したものには、本発明の意図や適用範囲から外れることなく、本発明の構造に対して種々の修正や変形体を設けられることは明らかである。前記の観点から、本発明は、特許請求範囲および同等のものの範囲に相当するなら、本発明の修正や変形体もカバーするものである。
【図面の簡単な説明】
【００２５】
添付の図は本発明をより理解するために提供されており、この明細書に組み込まれてその一部を構成している。図は本発明の実施例を示しており、記述と一緒で本発明の原理を説明するためのものである。
【図１】本発明の一つの実施例に従い、画像データにより音楽をつくるためのプロセスを概略的に図示するプロセス図である。
【図２】本発明の別の実施例に従い、画像データにより音楽をつくるためのプロセスを概略的に図示するプロセス図である。
【図１】
2005165255.tif 000003
【図２】
2005165255.tif 000004